(57)【要約】【課題】  本発明は魚釣用充電装置に係り、長期に亘って二次電池への良好な充電を可能とし、併せて魚釣用電動リールが取り付く釣竿を釣竿保持装置に保持させるだけで、二次電池への充電を可能とした魚釣用充電装置を提供することを目的とする。【解決手段】  請求項１に係る発明は、送電コイルと、二次電池に連なる受電コイルを電磁結合して二次電池を充電する非接触型の魚釣用充電装置であって、前記二次電池を、魚釣用電動リールまたは該魚釣用電動リールが取り付く釣竿に装着し、前記送電コイルを、船縁に固定され前記釣竿を保持する釣竿保持装置に装着すると共に、前記釣竿保持装置への釣竿保持時に前記送電コイルと対向する釣竿または魚釣用電動リールの対向部位に、前記受電コイルを装着したことを特徴とする。そして、請求項２に係る発明は、請求項１に記載の魚釣用充電装置に於て、前記釣竿保持装置に、該釣竿保持装置への釣竿の取付け時に前記送電コイルへの送電を開始するＯＮ／ＯＦＦスイッチを設けたことを特徴とする。【選択図】    図１
2011004645.tif 000002
【特許請求の範囲】
【請求項１】
送電コイルと、二次電池に連なる受電コイルを電磁結合して二次電池を充電する非接触型の魚釣用充電装置であって、
前記二次電池を、魚釣用電動リールまたは該魚釣用電動リールが取り付く釣竿に装着し、
前記送電コイルを、船縁に固定され前記釣竿を保持する釣竿保持装置に装着すると共に、
前記釣竿保持装置への釣竿保持時に前記送電コイルと対向する釣竿または魚釣用電動リールの対向部位に、前記受電コイルを装着したことを特徴とする魚釣用充電装置。
【請求項２】
前記釣竿保持装置に、該釣竿保持装置への釣竿の取付け時に前記送電コイルへの送電を開始するＯＮ／ＯＦＦスイッチを設けたことを特徴とする請求項１に記載の魚釣用充電装置。
【発明の詳細な説明】
【技術分野】
【０００１】
本発明は魚釣用充電装置に係り、詳しくは魚釣用電動リールが取り付く釣竿を船縁に固定した釣竿保持装置に保持させることで、魚釣用電動リールを駆動させる二次電池への充電を可能とした魚釣用充電装置に関する。
【背景技術】
【０００２】
船釣り等、一般に深場の魚層を対象とした魚釣りを行う場合、魚釣用電動リール（以下、「電動リール」という）が広く使用されている。
【０００３】
従来周知のようにこの電動リールは、リール本体に装着したスプールモータの駆動でスプールを回転させて釣糸の巻取りを行うもので、一般に船釣りでは、釣竿保持装置を船縁に固定し、該釣竿保持装置に、電動リールが取り付く釣竿を保持させて魚の当たりを待っている。
【０００４】
ところで、特許文献１には、図１２に示すように釣竿保持装置１を、船縁３に取り付く支持部５と、該支持部５に着脱自在に連結され、釣竿７に取り付く分離部９とで構成して、該分離部９に、釣竿７に取り付く電動リール１１に電力を供給する二次電池１３を備えた釣竿保持装置１の給電構造が開示されている。
【０００５】
図１２及び図１３に示すように分離部９は、支持部５側のステー状の嵌合部１５に外嵌状態で連結する筒状体１７と、釣竿７を保持する挟持部材１９と、前記筒状体１７に装着され、支持部５（嵌合部１５）との連結の解除を行うレバー２１と、二次電池１３を収める電池収納部２３とを備えている。
【０００６】
そして、図１３に示すように前記嵌合部１５の先端外面に一対の電極からなる出力側コネクタ２５が形成され、筒状体１７の内面に該出力側コネクタ２５に接触する一対の電極からなる入力側コネクタ２７が形成されている。
【０００７】
また、図１２に示すように電動リール１１には、分離部９からの給電コード２９のプラグ３１を接続するジャック（図示せず）が設けられ、前記嵌合部１５が形成された支持部５側の支持体３３の底部には、外部電源（図示せず）に接続された給電コード３５のプラグ３７を接続するジャック３９が設けられている。
【０００８】
そして、給電コード２９のプラグ３１を電動リール１１のジャックに接続した状態で、外部電源からの電力を給電コード３５，プラグ３７を介して支持体３３のジャック３９に供給すると、外部電源からの電力で二次電池１３の充電が行われると共に、前記出力側コネクタ２５と入力側コネクタ２７を介した電力供給により、電動リール１１のスプールモータが駆動して釣糸４１の巻取りが可能になり、又、支持部５から分離部９を分離操作した状態では、給電コード３５に妨げられれることなく、二次電池１３からの電力で釣糸４１の巻取りができるようになっている。
【先行技術文献】
【特許文献】
【０００９】
【特許文献１】実開平５−８０２７９号公報
【発明の概要】
【発明が解決しようとする課題】
【００１０】
しかし乍ら、前記給電構造は、図１３に示すように出力側コネクタ２５と入力側コネクタ２７との金属接点による電気的接触で給電するもので、嵌合部１５の先端外面に出力側コネクタ２５が露出した構造上、ショートや感電等の虞があり、また、出力側コネクタ２５や入力側コネクタ２７のほこり，釣餌等による汚れや、酸化作用により接触不良を起こす等の不具合が指摘されている。
【００１１】
本発明は斯かる実情に鑑み案出されたもので、上述の如き従来の不具合を解決し、長期に亘って二次電池への良好な充電を可能とし、併せて電動リールが取り付く釣竿を釣竿保持装置に保持させるだけで、二次電池への充電を可能とした魚釣用充電装置を提供することを目的とする。
【課題を解決するための手段】
【００１２】
斯かる目的を達成するため、請求項１に係る発明は、送電コイルと、二次電池に連なる受電コイルを電磁結合して二次電池を充電する非接触型の魚釣用充電装置であって、前記二次電池を、電動リールまたは該電動リールが取り付く釣竿に装着し、前記送電コイルを、船縁に固定され前記釣竿を保持する釣竿保持装置に装着すると共に、前記釣竿保持装置への釣竿保持時に前記送電コイルと対向する釣竿または電動リールの対向部位に、前記受電コイルを装着したことを特徴とする。
【００１３】
そして、請求項２に係る発明は、請求項１に記載の魚釣用充電装置に於て、前記釣竿保持装置に、該釣竿保持装置への釣竿の取付け時に前記送電コイルへの送電を開始するＯＮ／ＯＦＦスイッチを設けたことを特徴とする。
【発明の効果】
【００１４】
各請求項に係る発明によれば、水回りで使用される電動リールの二次電池への電力充電を、電磁誘導方式による非接触充電として外部に露出するコネクタ等の通電端子をなくしたので、使用時に水（海水）がかかることがあってもショートや感電の虞がなくなり、また、端子部分の汚れや酸化作用による接触不良を起こすことがなくなり、長期に亘って二次電池への良好な充電が可能となった。
【００１５】
而も、本発明は、受電コイルが装着された釣竿または受電コイルが装着された電動リールが取り付く釣竿を、送電コイルが取り付く釣竿保持装置に保持させるだけで、送電コイルと受電コイルが対向配置されて二次電池への充電が可能となり、充電用の準備作業を一切必要としない利点を有する。
【００１６】
また、二次電池を釣竿側に装着すると、電動リールと釣竿との間に給電コードを接続する必要があるが、二次電池を電動リール側に装着すると、斯かる給電コードが不要となって操作性に優れた利点を有する。
【００１７】
そして、請求項２に係る発明によれば、釣竿保持装置に釣竿を保持させると、ＯＮ／ＯＦＦスイッチがＯＮ操作されて送電コイルへの送電が開始するように構成したので、不要な通電を防止することが可能となって電力の省力化が図れる利点を有する。
【図面の簡単な説明】
【００１８】
【図１】請求項１の第一実施形態に係る魚釣用充電装置の要部切欠き側面図である。
【図２】図１のII−II線断面図である。
【図３】一次コイルの平面図である。
【図４】一次コイルの断面図である。
【図５】一次コイルの断面図である。
【図６】請求項１の第二実施形態に係る魚釣用充電装置の要部切欠き側面図である。
【図７】図６のVII−VII線断面図である。
【図８】請求項１及び請求項２の一実施形態に係る魚釣用充電装置の要部切欠き側面図である。
【図９】図８のIX−IX線断面図である。
【図１０】釣竿を釣竿保持装置から取り上げた状態の魚釣用充電装置の要部切欠き側面図である。
【図１１】魚釣用充電装置の要部切欠き側面図である。
【図１２】従来の釣竿保持装置の給電構造の側面図である。
【図１３】支持部と分離部の連結構造の断面図である。
【発明を実施するための形態】
【００１９】
以下、本発明の実施形態を図面に基づいて詳細に説明する。
【００２０】
図１乃至図５は請求項１に係る魚釣用充電装置の第一実施形態を示し、図１に於て、５１はねじ杆５３によって船縁５５を挟持するクランプで、該クランプ５１上に釣竿保持装置５７の竿受部材５９が取り付けられている。
【００２１】
竿受部材５９の前部には前方へアーム部６１が斜め上方に延設され、図２に示すように該アーム部６１の先端に、上方に二股状に開口して釣竿６３を上方から載置可能な竿受部６５が設けられている。
【００２２】
一方、竿受部材５９の後部側には、上方に開口する筒状部６７が設けられている。そして、該筒状部６７に、釣竿６３を包むように保持する周知の釣竿緊締具６９がレバー７１の操作で着脱自在に挿着されている。
【００２３】
釣竿保持装置５７はこのように構成されており、図１に示すように竿受部６５に釣竿６３を上方から載置し、釣竿６３の竿元側に装着した釣竿緊締具６９を筒状部６７に挿着して、電動リール７３が取り付く釣竿６３が釣竿保持装置５７に保持されている。
【００２４】
そして、魚の当たりがあった場合、レバー７１を操作して釣竿緊締具６９を筒状部６７から引き抜き、該釣竿緊締具６９を取り付けたまま釣竿６３を釣竿保持装置５７から外して魚とのやり取りをする。
【００２５】
而して、本実施形態は、上述の如き構成に加え、以下の如き特徴を備えて魚釣用充電装置７５が構成されている。
【００２６】
即ち、図１に示すように、先ず、釣竿６３の竿元側端部内に、電動リール７３を駆動するバッテリ（二次電池）７７が挿着され、該バッテリ７７と電動リール７３の給電接続部７９との間に給電コード８１が接続されている。尚、釣竿６３内への前記バッテリ７７の取付位置は竿元に限定されない。
【００２７】
一方、前記竿受部材５９のアーム部６１の上部には、釣竿保持装置５７に保持した釣竿６３の外周と平行に平坦なコイル取付面８３が形成され、該コイル取付面８３の先端側に前記竿受部６５が突設されている。そして、前記コイル取付面８３に形成された均一な深さからなる凹部８５内に、送電用の一次コイル（送電コイル）８７が装着されている。
【００２８】
図３乃至図５は一次コイル８７の詳細を示し、コイル８９は、例えば銅線からなる単線またはこの単線を複数本撚り合わせたもの、或いは単線を複数束ねたものを、ポリウレタン，ポリエステル，エナメル等の合成樹脂皮膜で被覆して形成され、これを基板９１上に平面視角形形状に巻回，固定したプレート状の一次コイル８７が形成されている。
【００２９】
そして、平面角形形状に巻回したコイル８９の内側に、コイル中心部の磁束経路の効率化を図るために磁性層９３が設けられており、従来周知のように磁性層９３は、一例としてニッケル系フェライト，マンガン系フェライト等を磁性材としてシート状に配して形成されている。
【００３０】
尚、磁性塗料を塗布して磁性層９３を形成してもよい。また、コイル８９を基板９１上に平面視円形状または平面視長円形状に巻回，固定して一次コイルを形成してもよいし、その他例えばプリント基板の回路の如く、基板上にパターンをエッチングする等して一次コイルをプレート状に形成してもよい。
【００３１】
而して、このように形成されたプレート状の一次コイル８７が、図１に示すようにコイル取付面８３と面一にして凹部８５内に装着されており、一次コイル８７は、給電コード９５を介して船上に配置された図示しない大容量のバッテリ等の外部電源に接続されている。そして、一次コイル８７の表面は、図示しない樹脂フィルム等で被覆されて防水処理が図られている。
【００３２】
尚、コイル取付面８３に凹部８５を設けず、平坦なコイル取付面８３の表面に一次コイル８７を接着してもよい。
【００３３】
そして、図１及び図２に示すように、前記バッテリ７７を充電する受電用の二次コイル（受電コイル）９７が、一次コイル８７と平行に釣竿６３内に装着，固定されており、本実施形態に係る魚釣用充電装置７５は、釣竿保持装置５７に釣竿６３を保持させた際に前記一次コイル８７と対向する釣竿６３内の対向部位に二次コイル９７を装着，固定して、一次コイル８７と、バッテリ７７に連なる二次コイル９７を電磁結合してバッテリ７７を充電する、所謂電磁誘導方式による非接触充電としたことを大きな特徴とする。
【００３４】
而して、二次コイル９７は、図３の一次コイル８７と構成を同じくしてプレート状に形成されており、釣竿６３を釣竿保持装置５７に保持させた際に、前記一次コイル８７と平行な対向位置関係となるように釣竿６３内に挿入，固定されている。
【００３５】
尚、二次コイル９７の固定方法としては接着方法でもよいし、釣竿６３の内周に溝を設けて、これに二次コイル９７を挿入，固定する方法でもよい。
【００３６】
本実施形態に係る魚釣用充電装置７５はこのように構成されているから、実釣に当たり、釣人が船縁５５に釣竿保持装置５７を固定し、前記給電コード９５を船上の外部電源に接続すると、釣竿保持装置５７側の一次コイル８７に交流磁束が発生する。
【００３７】
この後、図１の如く釣人が釣竿保持装置５７に釣竿６３を保持させると、ファラデーの法則に従い、貫通する磁束により二次コイル９７に誘導起電力が発生して、バッテリ７７に電力供給が行われる充電状態となる。
【００３８】
そして、本実施形態は、竿元側を釣竿緊締具６９によって釣竿６３を周方向に回転させることなく筒状部６７に釣竿緊締具６９を挿入して、竿先側を竿受部６５に載置する釣竿保持装置５７を使用した構造上、一次コイル８７と二次コイル９７の位置を一度合わせれば、一次コイル８７と二次コイル９７は常に対向位置となる。
【００３９】
このように本実施形態は、図１２の従来例に代え、水回りで使用される電動リール７３のバッテリ７７への電力充電を、電磁誘導方式による非接触充電として外部に露出するコネクタ等の通電端子をなくしたので、使用時に水（海水）がかかることがあってもショートや感電の虞がなくなり、また、端子部分の汚れや酸化作用による接触不良を起こすことがなくなり、長期に亘ってバッテリ７７への良好な充電が可能となった。
【００４０】
而も、本実施形態は、二次コイル９７が取り付く釣竿６３を一次コイル８７が取り付く釣竿保持装置５７に保持させるだけで、一次コイル８７と二次コイル９７が対向配置されてバッテリ７７への充電が可能となり、充電用の準備作業を一切必要としない利点を有する。
【００４１】
そして、図２に示すように一次コイル８７と二次コイル９７は平行な位置関係に配置されるため、電磁誘導する磁束がコイル周辺で均一化されて好ましい構造である。
【００４２】
図６及び図７は請求項１に係る魚釣用充電装置の第二実施形態を示し、以下、本実施形態を図面に基づいて説明するが、前記実施形態と同一のものには同一符号を付してそれらの説明は省略する。
【００４３】
図中、５９-1は釣竿保持装置５７-1の竿受部材で、竿受部材５９-1の前部にアーム部６１-1が斜め上方に延設され、図７に示すように該アーム部６１-1の先端に、上方に二股状に開口して釣竿６３を上方から載置可能な竿受部６５-1が設けられている。
【００４４】
そして、図１の竿受部６５に比し、竿受部６５-1は釣竿６３の長手方向へ長尺に形成されており、図７の如く釣竿６３の外周が当接するその円弧状の底部に沿って均一な深さからなる凹部９９が形成され、該凹部９９内に送電用の一次コイル（送電コイル）８７-1が装着されている。
【００４５】
一次コイル８７-1は、前記一次コイル８７と同一材料を用いて形成され、前記凹部９９の形状に沿った断面円弧状に形成されている。
【００４６】
而して、このように形成された一次コイル８７-1が、図７に示すように竿受部６５-1の内周と面一にして前記凹部９９内に装着されており、一次コイル８７-1は、給電コード９５を介して船上に配置された図示しない外部電源に接続されている。そして、一次コイル８７-1の表面は、図示しない樹脂フィルム等で被覆されて防水処理が図られている。
【００４７】
一方、図６及び図７に示すように、釣竿６３側には、該釣竿６３を釣竿保持装置５７-1に保持させた際に、前記一次コイル８７-1と対向位置関係となる部位の内周に沿って、断面円弧状の受電用の二次コイル（受電コイル）９７-1が貼着されており、本実施形態は、図２の実施形態に比し一次コイル８７-1と二次コイル９７-1が接近した構造となっている。そして、二次コイル９７-1も前記二次コイル９７と同一材料を用いて形成されている。
【００４８】
このように本実施形態に係る魚釣用充電装置７５-1も、釣竿保持装置５７-1に釣竿６３を保持させた際に一次コイル８７-1と対向する釣竿６３内の対向部位に二次コイル９７-1を装着，固定して、一次コイル８７-1と、バッテリ７７に連なる二次コイル９７-1を電磁結合してバッテリ７７を充電する電磁誘導方式による非接触充電としている。
【００４９】
本実施形態に係る魚釣用充電装置７５-1はこのように構成されているから、実釣に当たり、釣人が船縁５５に釣竿保持装置５７-1を固定し、給電コード９５を船上の外部電源に接続すると、釣竿保持装置５７-1側の一次コイル８７-1に交流磁束が発生する。
【００５０】
この後、図６の如く釣人が釣竿保持装置５７-1に釣竿６３を保持させると、貫通する磁束により二次コイル９７-1に誘導起電力が発生してバッテリ７７に電力供給が行われる充電状態となる。
【００５１】
そして、本実施形態も、竿元側を釣竿緊締具６９によって釣竿６３を周方向に回転させることなく筒状部６７に釣竿緊締具６９を挿入して、竿先側を竿受部６５-1に載置する釣竿保持装置５７-1を使用した構造上、一次コイル８７-1と二次コイル９７-1は常に対向位置となる。
【００５２】
このように本実施形態も、水回りで使用される電動リール７３のバッテリ７７への電力充電を電磁誘導方式による非接触充電として、外部に露出するコネクタ等の通電端子をなくしたため、使用時に水（海水）がかかることがあってもショートや感電の虞がなくなり、また、端子部分の汚れや酸化作用による接触不良を起こすことがなく、長期に亘ってバッテリ７７への良好な充電が可能となる。
【００５３】
而も、本実施形態も、二次コイル９７-1が取り付く釣竿６３を釣竿保持装置５７-1に保持させるだけで、一次コイル８７-1と二次コイル９７-1が対向配置されてバッテリ７７への充電が可能となり、充電用の準備作業を一切必要としない利点を有する。
【００５４】
また、図７に示すように本実施形態は、図２の実施形態に比し一次コイル８７-1と二次コイル９７-1を接近して配置しているため、電磁誘導の効率が良好となる。
【００５５】
図８乃至図１１は請求項１及び請求項２に係る魚釣用充電装置の一実施形態を示し、図中、１０１は電動リール７３-1の反ハンドル側の側板１０３内に装着されたバッテリ（二次電池）で、このように電動リール７３-1内にバッテリ１０１を装着することで、図１の給電コード８１を不要としている。そして、側板１０３内の底部に、図２の二次コイル９７と同一材料でプレート状に形成された受電用の二次コイル（受電コイル）９７-2が装着されている。
【００５６】
一方、図８中、６１-2は竿受部材５９-2の前部から斜め上方に延設された釣竿保持装置５７-2のアーム部で、図８及び図９に示すようにその先端に、上方に二股状に開口して釣竿６３を上方から載置可能な竿受部６５-2が設けられている。
【００５７】
更に、図８及び図９に示すようにアーム部６１-2の上面１０５には、釣竿保持装置５７-2に保持した釣竿６３の左右の外周に沿って一対の突片１０７，１０９が、竿受部６５-2からアーム部６１-2の後端に亘って斜め外方へ突設されており、両突片１０７，１０９の上面は竿受部６５-2からアーム部６１-2の後端に亘って平坦に形成されて、電動リール７３-1の左右の側板１０３，１０６の底部に対向配置された構造となっている。
【００５８】
而して、図８及び図９に示すように本実施形態は、前記側板１０３側に位置する一方の突片１０７の前記側板１０３の底部に対向する部位に深さを均一にする凹部１１１を設けている。そして、該凹部１１１内に、図２の一次コイル８７と同一材料を用いてプレート状に形成された送電用の一次コイル（送電コイル）８７-2を装着しており、電動リール７３-1が取り付く釣竿６３を釣竿保持装置５７-2に保持させると、図示するように一次コイル８７-2に電動リール７３-1側の二次コイル９７-2が接近して、両コイル８７-2，９７-2が平行に対向配置されるようになっている。
【００５９】
また、図１０及び図１１に示すように釣竿保持装置５７-2の筒状部６７内の底部には、釣竿６３に取り付く釣竿緊締具６９を筒状部６７内に挿着した際に、前記一次コイル８７-2への送電を開始するＯＮ／ＯＦＦスイッチ１１３が設けられている。そして、図８及び図１１に示すように釣竿緊締具６９を筒状部６７内に挿着して釣竿６３を釣竿保持装置５７-2に保持させると、釣竿緊締具６９の先端がＯＮ／ＯＦＦスイッチ１１３を押すことで該ＯＮ／ＯＦＦスイッチ１１３がＯＮ操作されて、給電コード９５を介して外部電源から一次コイル８７-2への送電が開始し、バッテリ１０１に電力供給を行う充電状態となるように構成されている。
【００６０】
尚、その他の構成は図１の実施形態と同様であるので、同一のものには同一符号を付してそれらの説明は省略する。
【００６１】
本実施形態に係る魚釣用充電装置７５-2はこのように構成されているから、実釣に当たり、釣人が船縁５５に釣竿保持装置５７-2を固定して給電コード９５を船上の外部電源に接続しても、一次コイル８７-2への送電は開始されない。
【００６２】
この後、図８及び図１１の如く釣人が釣竿６３に取り付く釣竿緊締具６９を筒状部６７に挿着して釣竿保持装置５７-2に釣竿６３を保持させると、釣竿緊締具６９の先端がＯＮ／ＯＦＦスイッチ１１３を押すことで該ＯＮ／ＯＦＦスイッチ１１３がＯＮ操作されて外部電源から一次コイル８７-2への送電が開始し、バッテリ１０１に電力供給を行う充電状態となる。
【００６３】
そして、魚の当たりがあった場合、図１０及び図１１に示すようにレバー７１を操作して釣竿緊締具６９を筒状部６７から引き抜き、該釣竿緊締具６９を取り付けたまま釣竿６３を釣竿保持装置５７-2から外して魚とのやり取りをするが、既述したように本実施形態は、電動リール７３-1内にバッテリ１０１を装着して図１の給電コード８１を不要としているため、給電コード８１が邪魔になることがない。
【００６４】
このように本実施形態も、既述した各実施形態と同様、所期の目的を達成することが可能で、使用時に水（海水）がかかることがあってもショートや感電の虞がなくなり、また、端子部分の汚れや酸化作用による接触不良を起こすことがなく、長期に亘ってバッテリ１０１への良好な充電が可能となる。
【００６５】
而も、本実施形態は、釣竿緊締具６９を筒状部６７に挿着して釣竿保持装置５７-2に釣竿６３を保持させると、外部電源から一次コイル８７-2への送電が開始するように構成したので、不要な通電を防止することが可能となって電力の省力化が図れる利点を有する。
【００６６】
また、電動リール７３-1内にバッテリ１０１を装着して図１の給電コード８１を不要としているため、コンパクトで実釣時の操作性に優れた利点を有する。
【００６７】
尚、図９に示す一次コイル８７-2と二次コイル９７-2の取付位置に代え、二次コイル９７-2を側板１０３の側面側に配置して、一次コイル８７-2をこれと対向するように配置してもよく、斯かる実施形態によっても、前記実施形態と同様、所期の目的を達成することが可能である。
【符号の説明】
【００６８】
５１  クランプ
５３  ねじ杆
５５  船縁
５７，５７-1，５７-2  釣竿保持装置
５９，５９-1，５９-2  竿受部材
６１，６１-1，６１-2  アーム部
６３  釣竿
６５，６５-1，６５-2  竿受部
６７  筒状部
６９  釣竿緊締具
７１  レバー
７３，７３-1  電動リール
７５，７５-1，７５-2  魚釣用充電装置
７７，１０１  バッテリ（二次電池）
８１，９５  給電コード
８７，８７-1，８７-2  送電用の一次コイル（送電コイル）
８９  コイル
９１  基板
９３  磁性層
９７，９７-1，９７-2  受電用の二次コイル（受電コイル）
１０３  側板
１０７，１０９  突片
１１３  ＯＮ／ＯＦＦスイッチ
【図１】
2011004645.tif 000003
【図２】
2011004645.tif 000004
【図３】
2011004645.tif 000005
【図４】
2011004645.tif 000006
【図５】
2011004645.tif 000007
【図６】
2011004645.tif 000008
【図７】
2011004645.tif 000009
【図８】
2011004645.tif 000010
【図９】
2011004645.tif 000011
【図１０】
2011004645.tif 000012
【図１１】
2011004645.tif 000013
【図１２】
2011004645.tif 000014
【図１３】
2011004645.tif 000015